(57)【要約】【課題】本発明は、構造の簡素化を可能にした中芯保持ユニットを提供する。【解決手段】筆記具に適用される中芯保持ユニット１０の中駒１１には、先端が中芯保持部１２の先端と対向するように、中駒１１の一部として内側に向かって折り曲げられた爪片２３が形成され、爪片２３の先端と中芯保持部１２の先端とで螺旋ばね１３が保持されている。爪片２３の外表面には、軸筒２の内壁面に当接する突起部２３ｂが形成されている。このような構成によって、中駒１１の先端開口から螺旋ばね１３が抜け落ちることがない。【選択図】図４
2011073335.tif 000002
【特許請求の範囲】
【請求項１】
中芯を筒部の先端から出し入れ自在な筆記具において、
前記筒部の内壁面に沿って摺動自在で前記中芯が保持される中芯保持部と、
前記中芯保持部を前記筒部の後端側に向かって付勢する螺旋ばねと、
前記筒部に取り付けられると共に、前記中芯保持部を前記螺旋ばねの付勢力に抗して押圧するノック部と、を備え、
前記筒部には、先端が前記中芯保持部の先端と対向するように、前記筒部の一部として内側に向かって折り曲げられた爪片が形成され、前記爪片の先端と前記中芯保持部の先端とで前記螺旋ばねが保持されていることを特徴とする筆記具の中芯保持ユニット。
【請求項２】
前記筒部は、外殻をなす軸筒と、前記中芯保持部及び前記螺旋ばねが収容されると共に、前記軸筒の内壁面に沿って固定される筒状の中駒と、からなり、前記中駒には前記爪片が形成され、前記爪片の外表面には、前記軸筒の内壁面に当接する突起部が形成されていることを特徴とする請求項１記載の筆記具の中芯保持ユニット。
【請求項３】
前記中駒の外壁面には、前記軸筒の内壁面に形成された凹部で係止させられる係止凸部が形成されていることを特徴とする請求項２記載の筆記具の中芯保持ユニット。
【請求項４】
請求項１〜３の何れか一項に記載の中芯保持ユニットが設けられた筆記具。
【発明の詳細な説明】
【技術分野】
【０００１】
本発明は、ノック式の筆記具及びこれに適用される中芯保持ユニットに関するものである。
【背景技術】
【０００２】
従来、このような分野の技術として、特許第４１５３３１４号公報がある。この公報に記載された筆記具は、軸筒の後端側で固定される中駒を有し、この中駒内には、中芯を保持する回転子が挿入されている。この回転子は、カム機構を介して回転しながら中駒内で摺動し、回転子の進退によって筆記具の先端から中芯を出没させることができる。この回転子は、螺旋ばねによって付勢されており、螺旋ばねは、中駒の先端に固定された円筒状の受け部材と回転子との間に配置され、螺旋ばねの一端は、回転子のフランジ部に当接され、螺旋ばねの他端は、受け部材の先端に形成された段部に当接されている。このような構成部品は一体化され、中駒と回転子と操作部と螺旋ばねと受け部材とでユニット化が図られているので、筆記具の組立て作業性の向上が図られている。
【先行技術文献】
【特許文献】
【０００３】
【特許文献１】特許第４１５３３１４号公報
【発明の概要】
【発明が解決しようとする課題】
【０００４】
しかしながら、前述した従来の筆記具では、中駒と回転子と操作部と螺旋ばねと受け部材とでユニット化が図られているが、構造が複雑化しており、コスト低減や軽量化の観点から、部品点数を減らして構造を簡素化することが望まれていた。
【０００５】
本発明は、構造の簡素化を可能にした中芯保持ユニット及び筆記具を提供することを目的とする。
【課題を解決するための手段】
【０００６】
本発明は、中芯を筒部の先端から出し入れ自在な筆記具において、
筒部の内壁面に沿って摺動自在で中芯が保持される中芯保持部と、
中芯保持部を筒部の後端側に向かって付勢する螺旋ばねと、
筒部に取り付けられると共に、中芯保持部を螺旋ばねの付勢力に抗して押圧するノック部と、を備え、
筒部には、先端が中芯保持部の先端と対向するように、筒部の一部として内側に向かって折り曲げられた爪片が形成され、爪片の先端と中芯保持部の先端とで螺旋ばねが保持されていることを特徴とする。
【０００７】
この筆記具においては、組立て時に、筒部内に中芯保持部及び螺旋ばねを収容した状態で、爪片を内側に向かって折り曲げるだけで、爪片の先端で螺旋ばねが係止され、これによって筒部の先端から螺旋ばねが抜け落ちることがない。このように、筒部の一部として内側に折り曲げ可能な爪片を採用することで、螺旋ばねを支持する部品を別途必要としないので、構造の簡素化を可能にし、コスト低減や軽量化を図ることができる。
【０００８】
また、筒部は、外殻をなす軸筒と、中芯保持部及び螺旋ばねが収容されると共に、軸筒の内壁面に沿って固定される筒状の中駒と、からなり、中駒には爪片が形成され、爪片の外表面には、軸筒の内壁面に当接する突起部が形成されていると好適である。
このような構成を採用すると、中駒と中芯保持部と螺旋ばねとノック部とでユニット化され、組立て時に中駒を軸筒内に挿入すると、爪片の突起部の飛び出しが軸筒の内表面によって規制され続けるので、筆記具の組立て中や組立て後に、爪片の先端で螺旋ばねを確実に係止させ続けることができ、螺旋ばねの脱落を確実に防止することができる。
【０００９】
また、中駒の外壁面には、軸筒の内壁面に形成された凹部で係止させられる係止凸部が形成されていると好適である。
組立て時に中芯保持ユニットを軸筒に沿って挿入すると、軸筒の凹部内に中駒の係止凸部が入り込むので、軸筒内で中芯保持ユニットをワンタッチで簡単に固定させることができる。このような構成は、爪片の突起部の採用と相俟って、中芯保持ユニットにおける軸筒内でのワンタッチ装着を可能にし、組立て作業性の向上が図られている。
【００１０】
本発明に係る筆記具は、請求項１〜３の何れか一項に記載の中芯保持ユニットが設けられている。
【発明の効果】
【００１１】
本発明によれば、構造の簡素化を可能にしている。
【図面の簡単な説明】
【００１２】
【図１】本発明に係る中芯保持ユニットを適用した筆記具の一実施形態を示す断面図である。
【図２】ノック後の筆記具を示す断面図である。
【図３】中芯保持ユニットを示す断面図である。
【図４】中駒内に螺旋ばねを収容した状態を示す斜視図である。
【図５】ノック機構を示す概略図である。
【発明を実施するための形態】
【００１３】
以下、図面を参照しつつ本発明に係る筆記具及び中芯保持ユニットの好適な実施形態について詳細に説明する。なお、ペン先側を「前方側」として以下説明する。
【００１４】
図１に示すように、筆記具１は、ノック式であり、中芯(リフィール)３を収容する合成樹脂製の軸筒(筒部)２を有している。この軸筒２は、クリップ４が一体的に形成された軸部本体２ａと、軸部本体２ａの先端に螺着された先口２ｂとからなる。軸筒２の後端には、中芯３を軸筒２の先端から出し入れさせるためのノックキャップ１７が突出し、軸筒２の握り部分には、ゴム製のグリップ部７が固着されている。
【００１５】
外殻をなす軸筒２の軸部本体２ａ内には、中芯保持ユニット１０が装填されている。図３に示すように、この中芯保持ユニット１０は、軸部本体２ａの内壁面２ａＡに沿って固定される円筒状の中駒１１(筒部)と、中駒１１の内壁面１１ａに沿って摺動自在で中芯３の後端を保持するための円筒状の中芯保持部１２と、中芯保持部１２を軸部本体２ａの後端側に向かって付勢する螺旋ばね１３と、中駒１１に取り付けられると共に、中芯保持部１２を螺旋ばね１３の付勢力に抗して押圧するノック部６と、を備えている。
【００１６】
ノック部６は、中駒１１の後端から突出するノック棒であり、ノック棒６の後端は、軸部本体２ａから突出する円筒状のノックキャップ１７の前端側に挿入されて、係止させられている。ノック棒６の前端の外周面には、段部６ｂが形成され、中駒１１の後端には縮径部１１ｅが形成され、ノック棒６の段部６ｂが中駒１１の縮径部１１ｅに当接することで、ノック棒６の抜け止めが図られている。
【００１７】
中芯保持ユニット１０はノック機構２０を有し、図５に示すように、ノック機構２０は、ノック棒６の先端で環状に配列されて二等辺三角形をなす山形歯部６ａと、回転子として中駒１１内で周方向に回転する中芯保持部１２の周面から径方向に突出する突条部２１と、中駒１１の内壁面１１ａに形成されて、突条部２１の端部が係止させられる２段の鋸歯部１１ｂと、中駒１１の内壁面に形成されて、２個一組の鋸歯部１１ｂの間で軸線Ｌ方向に延在するスライド溝１１ｃとから構成され、突条部２１及びスライド溝１１ｃは周方向に１２０度毎に形成されている。そして、突条部２１の端部には傾斜面２１ａが形成され、この傾斜面２１ａは、中芯３を没入状態から突出させる際には山形歯部６ａに係合し、中芯３の突出時には、鋸歯部１１ｂに係合する。
【００１８】
ノック機構２０の動作について簡単に説明すると、図５(ａ)に示すように、ノックキャップ１７を指で押すことにより、ノック棒６が前進し、山形歯部６ａの頂部近傍で突条部２１の傾斜面２１ａが押されることで、中芯保持部１２が前進する。このとき、スライド溝１１ｃに沿って突条部２１が摺動する。そして、図５(ｂ)に示すように、ノックキャップ１７を押し続けると、スライド溝１１ｃから突条部２１が外れ、螺旋ばね１３の付勢力により突条部２１の傾斜面２１ａが山形歯部６ａの斜面に沿って僅かに移動し、これに伴って中芯保持部１２が僅かに回動する。
【００１９】
その後、図５(ｃ)に示すように、ノックキャップ１７から指を離すようにすると、螺旋ばね１３の付勢力により突条部２１が後退する。このとき、上流側の鋸歯部１１ｂの頂部に突条部２１の傾斜面２１ａが係合し、上流側の鋸歯部１１ｂの傾斜面に沿って突条部２１の傾斜面２１ａが移動し、これに伴って中芯保持部１２が回動する。そして、鋸歯部１１ｂ間の谷部１１ｆに突条部２１の傾斜面２１ａが係止させられることで、中芯保持部１２の回動と後退が止まる。これによって、図２に示すように、中芯３の先端が先口２ｂから突出し、筆記状態になる。
【００２０】
図５(ｄ)に示すように、筆記状態からノックキャップ１７を押すと、山形歯部６ａの頂部近傍で突条部２１の傾斜面２１ａが押されることで、中芯保持部１２が前進する。このとき、鋸歯部１１ｂ間の直立面１１ｄに沿って突条部２１が摺動する。そして、ノックキャップ１７を押し続けると、鋸歯部１１ｂから突条部２１が外れ、螺旋ばね１３の付勢力により突条部２１の傾斜面２１ａが山形歯部６ａの斜面に沿って僅かに移動し、これに伴って中芯保持部１２が僅かに回動する。
【００２１】
その後、ノックキャップ１７から指を離すようにすると、螺旋ばね１３の付勢力により突条部２１が後退する。このとき、下流側の鋸歯部１１ｂの頂部に突条部２１の傾斜面２１ａが係合し、下流側の鋸歯部１１ｂの傾斜面に沿って突条部２１の傾斜面２１ａが移動し、これに伴って中芯保持部１２が回動する。そして、突条部２１が次位のスライド溝１１ｃ内に落ち込むことで、中芯保持部１２が後退する。これにより、図１に示すように、中芯３の先端が先口２ｂ内に入り込む。
【００２２】
このようなノック機構２０は、特許第４１５３３１４号公報などから公知である。
【００２３】
図３及び図４に示すように、円筒状の中駒１１には、中芯保持部１２より前方に位置する爪片２３が形成されている。爪片２３は、中駒１１の周方向に１８０度毎に設けられ、軸線Ｌ方向に延在する爪片２３は、射出成形時に中駒１１にコ字状のスリット２４を形成することで作り出されている。各爪片２３の先端２３ａは、中芯保持部１２の先端１２ａと対向し、爪片２３の先端２３ａと中芯保持部１２の先端１２ａとで螺旋ばね１３の端部が保持されている。このような爪片２３は、中駒１１の一部をなし、軸線Ｌに沿って延在する状態から、内側に向かって「く」の字状に折り曲げられている。
【００２４】
このような中芯保持ユニット１０の組立てにあたって、先ず、中駒１１の先端開口からノック棒６を挿入し、続いて中芯保持部１２を挿入する。その後、螺旋ばね１３を挿入し、中駒１１の先端開口から偏平なばね押し棒２６を挿入して、螺旋ばね１３を圧縮した状態にする。その後、爪片２３を「く」の字状に折り曲げるようにして、爪片２３の先端２３ａを中駒１１内に入れ込む。このように、爪片２３を内側に向かって「く」の字状に折り曲げるだけで、爪片２３の先端２３ａで螺旋ばね１３が係止され、これによって中駒１１の先端開口から螺旋ばね１３が抜け落ちることがない。中駒１１の一部として内側に折り曲げ可能な爪片２３を採用すると、螺旋ばね１３を支持する部品を別途必要としないので、構造の簡素化を可能にし、コスト低減や軽量化を図ることができる。
【００２５】
更に、爪片２３の外表面には、軸筒２の内壁面２ａＡに当接する半球状の突起部２３ｂが形成されている。従って、中芯保持ユニット１０を軸筒２内に挿入すると、爪片２３の突起部２３ｂの飛び出しが軸筒２の内壁面２ａＡによって規制され続けるので、筆記具１の組立て中や組立て後に、爪片２３の先端２３ａで螺旋ばね１３を確実に係止させ続けることができ、螺旋ばね１３の脱落を確実に防止することができる。
【００２６】
また、中駒１１の外壁面には、リング状の係止凸部２８が２本形成され、軸筒２の内壁面２ａＡには、それぞれの係止凸部２８が嵌合して係止させられるリング状の凹部２７が形成されている。従って、中芯保持ユニット１０を軸筒２に沿って挿入すると、軸筒２の凹部２７内に中駒１１の係止凸部２８が入り込むので、軸筒２内で中芯保持ユニット１０をワンタッチで簡単に固定させることができる。このような構成は、爪片２３の突起部２３ｂの採用と相俟って、中芯保持ユニット１０における軸筒２内でのワンタッチ装着を可能にし、組立て作業性の向上が図られている。
【００２７】
本発明は、前述した実施形態に限定されないことは言うまでもない。例えば、筒部としては、軸筒２と中駒１１とがあり、何れに爪片２３が設けられていても良い。爪片２３は、予め「く」の字状に癖付けされていてもよい。爪片２３の個数は、１本以上であればよい。突起部２３ｂの形状は、半球状でなくても、円錐形状、突条形状等であってもよい。
【符号の説明】
【００２８】
１…筆記具、２…軸筒(筒部)、３…中芯、６…ノック棒(ノック部)、１０…中芯保持ユニット、１１…中駒(筒部)、１２…中芯保持部、１３…螺旋ばね、２３…爪片、２３ｂ…突起部、２７…凹部、２８…係止凸部。
【図１】
2011073335.tif 000003
【図２】
2011073335.tif 000004
【図３】
2011073335.tif 000005
【図４】
2011073335.tif 000006
【図５】
2011073335.tif 000007